(57)【要約】【課題】簡単に使用して、体幹・骨盤を捻る動きを補助し、または、体幹・骨盤を捻る動きに負荷を与えることができるトレーニング用具を提供する。【解決手段】膝ベルト２０を片側の脚Ｍ１に装着し、下半身回転部材３０の一端側を膝ベルト２０に連結し、他端側を片側の脚Ｍ１の裏側、両脚の間、および反対側の脚Ｍ２の前側を回して、反対側の脇Ｍ３において骨盤ベルト１０に対して連結し、かつ、肩掛部４０を片側の肩Ｍ４に掛け、上半身回転部材５０の他端側を背中で反対側に向かって斜めに伸ばし、反対側の脇Ｍ３において骨盤ベルト１０に対して連結する。【選択図】図２
2012090776.tif 000002
【特許請求の範囲】
【請求項１】
腰に装着する骨盤ベルトと、
脚の膝またはその近傍に装着する１つの膝ベルトと、
伸縮性を有する長尺部材よりなり、一端側が前記膝ベルトに対して連結され、他端側が前記骨盤ベルトに対して連結される下半身回転部材と、
肩に掛ける１つの肩掛部と、
伸縮性を有する長尺部材よりなり、一端側が前記肩掛部に対して連結され、他端側が前記骨盤ベルトに対して連結される上半身回転部材とを備え、
前記下半身回転部材の一端側は、前記膝ベルトに対して、脚の外側において連結され、前記下半身回転部材の他端側は、前記骨盤ベルトに対して、前記膝ベルトと反対側の脇において連結され、
前記上半身回転部材の他端側は、前記骨盤ベルトに対して、前記肩掛部と反対側の脇において連結される
ことを特徴とするトレーニング用具。
【請求項２】
前記肩掛部は環状であり、腕を通して肩に掛けられることを特徴とする請求項１に記載のトレーニング用具。
【請求項３】
前記下半身回転部材の一端側は、前記膝ベルトに設けられた膝連結部材に対して連結され、
前記下半身回転部材の他端側および前記上半身回転部材の他端側は、前記骨盤ベルトに設けられた腰連結部材に対して連結される
ことを特徴とする請求項１または請求項２に記載のトレーニング用具。
【発明の詳細な説明】
【技術分野】
【０００１】
本発明は、スポーツにおいて、体幹・骨盤を捻る動きを補助し、または、体幹・骨盤を捻る動きに負荷を与えることができるトレーニング用具に関する。
【背景技術】
【０００２】
ゴルフ、野球、テニスなどの各種スポーツには、体幹・骨盤を捻る捻転運動を伴うものが多数ある。これらのスポーツでは、初心者の場合、腰の動かし方およびそれに伴う身体の動かし方がわからず、うまくできないことがある。また、中級者、上級者においては、より力強く安定して身体を動かす必要がある。そこで、体幹・骨盤を捻る動きを補助し、腰の動かし方を覚えることができるトレーニング用具、または、体幹・骨盤を捻る動きに負荷を加え、より力強く安定して身体を動かすことができるようにするトレーニング用具が望まれていた。
【先行技術文献】
【特許文献】
【０００３】
【特許文献１】実開平６−５６６３号公報
【発明の概要】
【発明が解決しようとする課題】
【０００４】
本発明は、このような問題に基づきなされたものであり、簡単に使用して、体幹・骨盤を捻る動きを補助し、または、体幹・骨盤を捻る動きに負荷を与えることができるトレーニング用具を提供することを目的とする。
【０００５】
なお、特許文献１には、上半身と下半身の動作を総合的に矯正し、正しいゴルフスイングをすることができるゴルフ用練習具が記載されている。このゴルフ用練習具は、上半身にサポータを装着し、このサポータに一端を連結し他端を靴に引掛けて上半身から下半身に２本の第１矯正ベルトをそれぞれ逆方向に巻き付けると共に、２本の第２矯正ベルトにより一方の腕の上腕部と他方の腕の肘部とを連結するものであるが、本発明とは具体的な構成が異なっている。
【課題を解決するための手段】
【０００６】
本発明のトレーニング用具は、腰に装着する骨盤ベルトと、脚の膝またはその近傍に装着する１つの膝ベルトと、伸縮性を有する長尺部材よりなり、一端側が膝ベルトに対して連結され、他端側が骨盤ベルトに対して連結される下半身回転部材と、肩に掛ける１つの肩掛部と、伸縮性を有する長尺部材よりなり、一端側が肩掛部に対して連結され、他端側が骨盤ベルトに対して連結される上半身回転部材とを備え、下半身回転部材の一端側は、膝ベルトに対して、脚の外側において連結され、下半身回転部材の他端側は、骨盤ベルトに対して、膝ベルトと反対側の脇において連結され、上半身回転部材の他端側は、骨盤ベルトに対して、肩掛部と反対側の脇において連結されるものである。
【０００７】
このトレーニング用具では、例えば、膝ベルトを片側の脚に装着し、下半身回転部材の一端側を膝ベルトに連結し、他端側を片側の脚の裏側、両脚の間、および反対側の脚の前側を回して、反対側の脇において骨盤ベルトに対して連結し、かつ、肩掛部を片側の肩に掛け、上半身回転部材の他端側を背中で反対側に向かって斜めに伸ばし、反対側の脇において骨盤ベルトに対して連結するようにすれば、片側の肩が後ろ側に回り、反対側の腰が前側に回るように力が働き、自然と腰が回転する。
【０００８】
また、下半身回転部材を同様に連結し、かつ、肩掛部を反対側の肩に掛け、上半身回転部材の他端側を背中で反対側に向かって斜めに伸ばし、片側の脇において骨盤ベルトに対して連結するようにすれば、反対側の肩が後ろ側に回り、反対側の腰が前側に回るように力が働き、負荷により身体のバランスが整えられる。
【０００９】
更に、例えば、膝ベルトを片側の脚に装着し、下半身回転部材の一端側を膝ベルトに連結し、他端側を片側の脚の前側、両脚の間、および反対側の脚の裏側を回して、反対側の脇において骨盤ベルトに対して連結し、かつ、肩掛部を反対側の肩に掛け、上半身回転部材の他端側を背中で片側に向かって斜めに伸ばし、片側の脇において骨盤ベルトに対して連結するようにすれば、反対側の肩および腰が後ろ側に回るように力が働き、自然と腰が回転する。
【００１０】
加えて、下半身回転部材を同様に連結し、かつ、肩掛部を片側の肩に掛け、上半身回転部材の他端側を背中で反対側に向かって斜めに伸ばし、反対側の脇において骨盤ベルトに対して連結するようにすれば、片側の肩が後ろ側に回り、反対側の腰が後ろ側に回るように力が働き、負荷により身体のバランスが整えられる。
【発明の効果】
【００１１】
本発明のトレーニング用具によれば、伸縮性を有する長尺部材よりなり、一端側が膝ベルトに対して連結され、他端側が骨盤ベルトに対して連結される下半身回転部材と、伸縮性を有する長尺部材よりなり、一端側が肩掛部に対して連結され、他端側が骨盤ベルトに対して連結される上半身回転部材とを備えるようにしたので、例えば、下半身回転部材の一端側を片側の脚の外側において膝ベルトに連結し、他端側を両脚の間を通して反対側の脇において骨盤ベルトに対して連結すると共に、肩掛部をどちらかの肩に掛け、上半身回転部材を背中で斜めに伸ばして脇において骨盤ベルトに対して連結するようにすれば、簡単に装着して、肩および腰を回転させるように力を加えることができ、自然と体幹・骨盤を回転させることができる。よって、捻転運動において、簡単に体幹・骨盤を捻る動きを補助することができ、腰の動かし方を容易に覚えることができる。また、体幹・骨盤を捻る動きに負荷を加えることもでき、より力強く安定して身体を動かすことができるようにトレーニングすることができる。更に、負荷により身体のバランスを整えるようにトレーニングすることもできる。
【図面の簡単な説明】
【００１２】
【図１】本発明の一実施の形態に係るトレーニング用具の構成を表す図である。
【図２】図１に示したトレーニング用具を人に装着した一例を表す図である。
【図３】図１に示したトレーニング用具を人に装着した一例を表す他の図である。
【図４】図１に示したトレーニング用具を人に装着した一例を表す更に他の図である。
【図５】図１に示したトレーニング用具を人に装着した一例を表す更に他の図である。
【発明を実施するための形態】
【００１３】
以下、本発明の実施の形態について図面を参照して詳細に説明する。
【００１４】
図１は、本発明の一実施の形態に係るトレーニング用具１の構成を表すものである。このトレーニング用具１は、腰に装着する骨盤ベルト１０と、脚の膝またはその近傍に装着する１つの膝ベルト２０と、一端側が膝ベルト２０に対して連結され、他端側が骨盤ベルト１０に対して連結される下半身回転部材３０と、肩に掛ける１つの肩掛部４０と、一端側が肩掛部４０に対して連結され、他端側が骨盤ベルト１０に対して連結される上半身回転部材５０とを備えている。
【００１５】
骨盤ベルト１０は、例えば、帯状部材１１に結合部材１２が設けられ、結合部材１２により環状にして腰に装着することができるように構成されている。帯状部材１１は、ゴムなどの伸縮性を有する材料により構成されることが好ましい。骨盤ベルト１０には、利用する人の体型に合わせて長さを調節することができる調節機能が設けられていることが好ましい。例えば、帯状部材１１Ａの端部を折り返して結合部材１２を取り付け、折り返した部分をバックルなどの固定部材１３により長さを変更可能に固定するようにしてもよい。
【００１６】
また、骨盤ベルト１０には、例えば、下半身回転部材３０および上半身回転部材５０を連結するための腰連結部材１４が設けられている。腰連結部材１４は、例えば、環状であり、腰の両脇に設けられた取付具１５に対してそれぞれ取り付けられている。なお、腰連結部材１４は、下半身回転部材３０と上半身回転部材５０とに個別に対応してそれぞれ設けるようにしてもよいが、１つを共用するようにしてもよい。取付具１５は、利用者の体型に合わせて位置を移動させることができるように帯状部材１１に対して移動可能に設けられていることが好ましい。
【００１７】
膝ベルト２０は、例えば、帯状部材２１の一端部に環状部材２２が取り付けられており、帯状部材２１の他端部を環状部材２２に通して折り返し、面状ファスナーなどにより固定することにより、脚に装着するように構成されている。また、膝ベルト２０には、例えば、下半身回転部材３０を連結するための膝連結部材２３が設けられている。膝連結部材２３は、例えば、環状であり、環の内側に帯状部材２１を通すことにより、帯状部材２１に対して移動可能に配設されている。
【００１８】
下半身回転部材３０は、例えば、ゴムなどの伸縮性を有する長尺部材により構成されている。下半身回転部材３０は、例えば、１本の長尺部材を膝連結部材２３に通して二つ折りにすることにより、一端側が膝ベルト２０に対して連結されている。下半身回転部材３０の他端側には、係止部材３１が移動可能に取り付けられており、係止部材３１を腰連結部材１４に係止することにより、骨盤ベルト１０に対して連結される。
【００１９】
肩掛部４０は、例えば、ゴムなどの伸縮性を有する長尺部材を環状とすることにより構成されており、環の内側に腕を通して肩に掛けられるようになっている。肩掛部４０の周りには、例えば、肩または脇に肩掛部４０が食い込むことを防止するための食い込み防止部材４１を少なくとも一部に配設するようにしてもよい。食い込み防止部材４１は、例えば、スポンジまたはゴムなどの柔らかく弾性を有する材料により構成することが好ましい。
【００２０】
上半身回転部材５０は、例えば、ゴムなどの伸縮性を有する長尺部材により構成されており、肩掛部４０と一体的に形成されていてもよい。例えば、一本の長尺部材を二つ折りにし、折り返したところから所定の長さ離れた位置で長尺部材を留具５１により留め、輪の部分を肩掛部４０とし、他の部分を上半身回転部材５０としてもよい。その際、留具５１を移動可能とすれば、利用者の体型に合わせて位置を変えることができるので好ましい。上半身回転部材５０の他端側には、係止部材５２が移動可能に取り付けられており、係止部材５２を腰連結部材１４に係止することにより、骨盤ベルト１０に対して連結される。
【００２１】
図２から図５は、トレーニング用具１を人Ｍに装着した状態を表すものである。各図において、（Ａ）は人Ｍの前側を表し、（Ｂ）は人Ｍの後側を表している。
【００２２】
例えば、図２に示したように、膝ベルト２０を片側の脚Ｍ１に装着し、下半身回転部材３０の一端側を膝ベルト２０に連結し、他端側を片側の脚Ｍ１の裏側、両脚の間、および反対側の脚Ｍ２の前側を回して、反対側の脇Ｍ３において骨盤ベルト１０に対して連結し、かつ、肩掛部４０を片側の肩Ｍ４に掛け、上半身回転部材５０の他端側を背中で反対側に向かって斜めに伸ばし、反対側の脇Ｍ３において骨盤ベルト１０に対して連結する。これにより、矢印で示したように、片側の肩Ｍ４が後ろ側に回り、反対側の腰が前側に回るように力が働き、自然と腰が回転する。よって、反対側の腰を前側に回す運動においては、このトレーニング用具１により、体幹・骨盤を捻る動きを補助することができ、腰の動かし方を容易に覚えることができる。逆に、片側の腰を前側に回す運動においては、体幹・骨盤を捻る動きに負荷を加えることもでき、より力強く安定して身体を動かすことができるようにトレーニングすることができる。
【００２３】
また、例えば、図３に示したように、下半身回転部材３０を図２と同様に片側の脚Ｍ１の裏側、両脚の間、および反対側の脚Ｍ２の前側に回し、かつ、肩掛部４０を反対側の肩Ｍ５に掛け、上半身回転部材５０の他端側を背中で反対側に向かって斜めに伸ばし、片側の脇Ｍ６において骨盤ベルト１０に対して連結する。これにより、矢印で示したように、反対側の肩Ｍ５が後ろ側に回り、反対側の腰が前側に回るように力が働き、負荷により身体のバランスを整えるようにトレーニングすることができる。
【００２４】
更に、例えば、図４に示したように、膝ベルト２０を片側の脚Ｍ１に装着し、下半身回転部材３０の一端側を膝ベルト２０に連結し、他端側を片側の脚Ｍ１の前側、両脚の間、および反対側の脚Ｍ２の裏側を回して、反対側の脇Ｍ３において骨盤ベルト１０に対して連結し、かつ、肩掛部４０を反対側の肩Ｍ５に掛け、上半身回転部材５０の他端側を背中で片側に向かって斜めに伸ばし、片側の脇Ｍ６において骨盤ベルト１０に対して連結する。これにより、矢印で示したように、反対側の肩Ｍ５および腰が後ろ側に回るように力が働き、自然と腰が回転する。よって、反対側の腰を前側に捻る運動においては、このトレーニング用具１により、体幹・骨盤を捻る動きに負荷を加えることもでき、より力強く安定して身体を動かすことができるようにトレーニングすることができる。逆に、片側の腰を前側に捻る運動においては、体幹・骨盤を捻る動きを補助することができ、腰の動かし方を容易に覚えることができる。
【００２５】
加えて、例えば、図５に示したように、下半身回転部材３０を図３と同様に片側の脚Ｍ１の前側、両脚の間、および反対側の脚Ｍ２の裏側に回し、かつ、肩掛部４０を片側の肩Ｍ４に掛け、上半身回転部材５０の他端側を背中で反対側に向かって斜めに伸ばし、反対側の脇Ｍ３において骨盤ベルト１０に対して連結する。これにより、片側の肩Ｍ４が後ろ側に回り、反対側の腰が後ろ側に回るように力が働き、負荷により身体のバランスを整えるようにトレーニングすることができる。
【００２６】
なお、図２から図５では、片側を左側、反対側を右側とした場合について示したが、片側を右側、反対側を左側としても、左右が逆になることを除き、同様に作用する。
【００２７】
このように、本実施の形態に係るトレーニング用具１によれば、伸縮性を有する長尺部材よりなり、一端側が膝ベルト２０に対して連結され、他端側が骨盤ベルト１０に対して連結される下半身回転部材３０と、伸縮性を有する長尺部材よりなり、一端側が肩掛部４０に対して連結され、他端側が骨盤ベルト１０に対して連結される上半身回転部材５０とを備えるようにしたので、例えば、下半身回転部材３０の一端側を片側の脚Ｍ１の外側において膝ベルト２０に連結し、他端側を反対側の脇Ｍ３において骨盤ベルト１０に対して連結すると共に、肩掛部４０をどちらかの肩に掛け、上半身回転部材５０を背中で斜めに伸ばして脇において骨盤ベルト１０に対して連結するようにすれば、簡単に装着して、肩および腰を回転させるように力を加えることができ、自然と体幹・骨盤を回転させることができる。よって、捻転運動において、簡単に体幹・骨盤を捻る動きを補助することができ、腰の動かし方を容易に覚えることができる。また、体幹・骨盤を捻る動きに負荷を加えることもでき、より力強く安定して身体を動かすことができるようにトレーニングすることができる。更に、負荷により身体のバランスを整えるようにトレーニングすることもできる。
【００２８】
以上、実施の形態を挙げて本発明を説明したが、本発明は上記実施の形態に限定されるものではなく、種々変形可能である。例えば、上記実施の形態では、肩掛部４０と上半身回転部材５０とを一体的に形成する場合について説明したが、別々に構成して連結するようにしてもよい。また、上記実施の形態では、各構成要素について具体的に説明したが、全ての構成要素を備えていなくてもよく、また、他の構成を有していてもよい。
【産業上の利用可能性】
【００２９】
捻転運動のトレーニングに用いることができる。
【符号の説明】
【００３０】
１…トレーニング用具、１０…骨盤ベルト、１１…帯状部材、１２…結合部材、１３…固定部材、１４…腰連結部材、１５…取付具、２０…膝ベルト、２１…帯状部材、２２…環状部材、２３…膝連結部材、３０…下半身回転部材、３１…係止部材、４０…肩掛部、４１…食い込み防止部材、５０…上半身回転部材、５１…留具、５２…係止部材
【図１】
2012090776.tif 000003
【図２】
2012090776.tif 000004
【図３】
2012090776.tif 000005
【図４】
2012090776.tif 000006
【図５】
2012090776.tif 000007